(57)【要約】【課題】重量増加やコストアップ等の不利を招くことなく、ブリーザパイプの下方湾曲部に滞留した燃料によって燃料注入ガンによる給油が妨げられるのを確実に防止することができる燃料蒸気処理装置を得る。【解決手段】燃料タンク１０の上部空間２４とフューエルインレットパイプ２０の燃料注入口３０付近とを繋ぐブリーザパイプ２６の中間部には、リヤサイドメンバ３６との干渉を避けるため、下方湾曲部３４が設けられている。この下方湾曲部３４の近傍には、エンジンの排気系部品である排気管１８が配索されている。従って、下方湾曲部３４に液化した燃料が滞留したとしても、排気管１８からの排熱によって当該燃料は加温され蒸発される。従って、燃料注入ガンによる給油が妨げられることもない。また、排気管１８自体は既存部品であるため、部品点数の増加も招かない。【選択図】    図２
2004218501.tif 000002
【特許請求の範囲】
【請求項１】
一端部が燃料タンクの上部空間に連通されると共に他端部が燃料タンク内へ燃料を注入する燃料注入パイプの燃料注入口付近に連通され、更に中間部に略車両下方側へ湾曲する下方湾曲部が設けられたブリーザパイプを含んで構成された燃料蒸気処理装置であって、
前記ブリーザパイプの下方湾曲部付近に、エンジンの排気系部品を配置した、
ことを特徴とする燃料蒸気処理装置。
【請求項２】
前記ブリーザパイプと前記エンジンの排気系部品とは、ブリーザパイプの下方湾曲部で交差されている、
ことを特徴とする請求項１記載の燃料蒸気処理装置。
【請求項３】
前記ブリーザパイプの下方湾曲部の上方側には、車両後部の側部に車両前後方向を長手方向として配置されたリヤサイドメンバが配置されている、
ことを特徴とする請求項１又は請求項２記載の燃料蒸気処理装置。
【発明の詳細な説明】
【０００１】
【発明の属する技術分野】
本発明は、ブリーザパイプの中間部に下方湾曲部を設けた場合に適用される燃料蒸気処理装置に関する。
【０００２】
【従来の技術】
燃料タンクには、燃料注入時に燃料タンクの上部空間で発生したベーパを排出する排出路となるブリーザパイプが接続されている。このブリーザパイプの配索経路中に車体フレーム等の障害物がある場合に、当該車体フレームとの干渉を避ける目的で、ブリーザパイプの中間部に下向きに湾曲する下方湾曲部を形成する技術が知られている（下記特許文献１及び特許文献２参照）。
【０００３】
しかし、ブリーザパイプの中間部に下方湾曲部を設けた場合、燃料蒸気が液化することにより生じた燃料が当該下方湾曲部に滞留したり、或いは悪路走行したときの揺れによって燃料タンク内の燃料の一部がブリーザパイプ内に流入し、下方湾曲部に滞留する等の可能性がある。
【０００４】
上記現象によって仮にブリーザパイプが閉塞されると、燃料タンクの上部空間に発生したベーパがブリーザパイプから排出されなくなるため、フューエルインレットパイプ内の燃料液面が上昇する。また、燃料注入時に燃料注入ガンから注入される燃料の圧力によって燃料タンクの上部空間の内圧が急激に上昇すると、その圧力によってブリーザパイプの下方湾曲部に滞留した燃料がフューエルインレットパイプの燃料注入口側へ押し出される。燃料注入時にこれらの現象が発生すると、燃料タンクが燃料で満たされる前に燃料注入ガンのオートストップ機構が作動してしまうという不具合が生じる。
【０００５】
このため、下記特許文献１に記載された発明では、下方湾曲部とフューエルインレットパイプとを連通する連通路を新たに設定し、滞留した燃料がその自重によって連通路を介してフューエルインレットパイプに排出されるように工夫している。また、下記特許文献２に記載された発明では、ブリーザパイプの下方湾曲部に連通するチャンバを新たに設定すると共に、エンジンから燃料タンクに余剰燃料を戻すリターンパイプの中間に設けたジェットポンプをチャンバ内に配設し、当該ジェットポンプを使って下方湾曲部に滞留した燃料を吸引して燃料タンクに排出するように工夫している。
【０００６】
【特許文献１】
特開２００１−３０７７３号公報
【特許文献２】
特開２００１−１３８７５７号公報
【０００７】
【発明が解決しようとする課題】
しかしながら、上記文献に開示された構成による場合、新設部品、とりわけ連通路やジェットポンプの流路といった別パイプが必要になるため、車両搭載要件を満たさないことも予想される。また、仮に車両搭載要件を満たしたとしても、重量増加やコストアップを招く不利がある。
【０００８】
本発明は上記事実を考慮し、重量増加やコストアップ等の不利を招くことなく、ブリーザパイプの下方湾曲部に滞留した燃料によって燃料注入ガンによる給油が妨げられるのを確実に防止することができる燃料蒸気処理装置を得ることが目的である。
【０００９】
【課題を解決するための手段】
請求項１記載の本発明に係る燃料蒸気処理装置は、一端部が燃料タンクの上部空間に連通されると共に他端部が燃料タンク内へ燃料を注入する燃料注入パイプの燃料注入口付近に連通され、更に中間部に略車両下方側へ湾曲する下方湾曲部が設けられたブリーザパイプを含んで構成された燃料蒸気処理装置であって、前記ブリーザパイプの下方湾曲部付近に、エンジンの排気系部品を配置した、ことを特徴としている。
【００１０】
請求項２記載の本発明に係る燃料蒸気処理装置は、請求項１記載の発明において、前記ブリーザパイプと前記エンジンの排気系部品とは、ブリーザパイプの下方湾曲部で交差されている、ことを特徴としている。
【００１１】
請求項３記載の本発明に係る燃料蒸気処理装置は、請求項１又は請求項２記載の発明において、前記ブリーザパイプの下方湾曲部の上方側には、車両後部の側部に車両前後方向を長手方向として配置されたリヤサイドメンバが配置されている、ことを特徴としている。
【００１２】
請求項１記載の本発明によれば、燃料注入時に燃料タンクの上部空間に発生したベーパは、ブリーザパイプを介して燃料注入パイプの燃料注入口付近に排出される。
【００１３】
ここで、本発明では、ブリーザパイプの中間部に略車両下方側へ湾曲する下方湾曲部が設けられているため、燃料蒸気が液化することにより生じた燃料が当該下方湾曲部に滞留したり、或いは悪路走行したときの揺れによって燃料タンク内の燃料の一部がブリーザパイプ内に流入し、下方湾曲部に滞留する等の可能性がある。
【００１４】
しかし、本発明では、ブリーザパイプの下方湾曲部付近にエンジンの排気系部品を配置したので、排気系部品から発せられる排熱によって下方湾曲部に滞留した燃料が蒸発される。従って、下方湾曲部に滞留した燃料によって給油が妨げられるのを解消することができる。しかも、エンジンの排気系部品は元々存在するものなので、部品点数が増加することもない。従って、重量増加やコストアップ等の不利を招くこともない。
【００１５】
請求項２記載の本発明によれば、ブリーザパイプとエンジンの排気系部品とがブリーザパイプの下方湾曲部で交差されているため、ブリーザパイプの下方湾曲部だけを排気系部品からの排熱によって加温することができる。別の言い方をすれば、ブリーザパイプの下方湾曲部以外の部分には、排熱による影響が及ばないようにすることができる。
【００１６】
請求項３記載の本発明によれば、ブリーザパイプの下方湾曲部の上方側には、車両後部の側部に車両前後方向を長手方向として配置されたリヤサイドメンバが配置されているため、排気系部品の取付部をリヤサイドメンバに設定することが可能となる。このため、排気系部品とブリーザパイプとの隙間を極力狭くすることができる。
【００１７】
【発明の実施の形態】
以下、図１〜図３を用いて、本発明に係る燃料蒸気処理装置の一実施形態について説明する。なお、これらの図において、適宜示される矢印ＦＲは車両前方側を示しており、矢印ＵＰは車両上方側を示しており、矢印ＩＮは車両幅方向室内側を示している。
【００１８】
図１には、燃料系の部品等の配置を車両搭載状態で描いた平面図が示されている。この図に示されるように、燃料タンク１０は、車両１２の後部下側（リヤシートの下側等）に配置されている。具体的には、燃料タンク１０は、リヤフロアパンの下面側に図示しないタンクバンド等の支持部材によって固定されている。燃料タンク１０の側部後方側にはメインマフラー１４が配設されており、又燃料タンク１０の中央部前方側にはサブマフラー１６が配設されている。そして、これらのメインマフラー１４及びサブマフラー１６を通るように、「排気系部品」としての排気管１８が略車両前後方向に沿って配索されている。
【００１９】
一方、図２には、燃料タンク１０の周辺構造を車両後方側から見た概略構成図が示されている。この図に示されるように、燃料タンク１０の側壁下部には、「燃料注入パイプ」としてのフューエルインレットパイプ２０の先端部が接続されている。フューエルインレットパイプ２０の基端部は、車両側部に設けられかつ燃料注入時に燃料注入ガン２２が挿入される図示しないフューエルリッド付近に導かれている。
【００２０】
また、燃料タンク１０の上部空間２４には、ブリーザパイプ２６の一端部が連通されている。正確には、ブリーザパイプ２６の一端部は、燃料タンク１０における燃料満タン位置２８に位置されている。また、ブリーザパイプ２６の他端部は、フューエルインレットパイプ２０の燃料注入口３０付近に接続されている。これにより、燃料注入時に燃料タンク１０の上部空間２４に発生したベーパが、ブリーザパイプ２６を介してフューエルインレットパイプ２０の燃料注入口３０側に排出されるようになっている。
【００２１】
ここで、図２及び図３に示されるように、上述したブリーザパイプ２６の中間部には、車両後部の側部に車両前後方向を長手方向として配置されたリヤサイドメンバ３６との干渉を避けるため、略車両下方側へ湾曲する下方湾曲部３４が設けられている。図１に示されるように、この下方湾曲部３４と前述した排気管１８とは平面視で交差している。さらに、排気管１８の取付部はリヤサイドメンバ３６に設定されており、排気管１８の真上をブリーザパイプ２６の下方湾曲部３４が横断するように構成されている。これにより、ブリーザパイプ２６の下方湾曲部３４と排気管１８との隙間３８が狭く設定されている。
【００２２】
以上が本実施形態に係る燃料蒸気処理装置の構成であるが、以下に簡単に補足説明しておく。図１では、模式図を平面視で描いている関係で、リヤサイドメンバ３６と排気管１８の後部とをそのまま描くと重合してしまうので、幅方向に少しずらして描いている。また、図３に示されるように、リヤサイドメンバ３６は、車体フロア４０の下面側にスポット溶接で固定されている。また、車体フロア４０の車両幅方向の端部は後輪４２を覆うリヤホイールハウスインナパネル４４にスポット溶接で固定されている。
【００２３】
次に、本実施形態の作用並びに効果について説明する。
【００２４】
燃料注入時に燃料タンク１０の上部空間２４に発生したベーパは、ブリーザパイプ２６を介してフューエルインレットパイプ２０の燃料注入口３０付近に排出される。
【００２５】
ここで、本実施形態では、ブリーザパイプ２６とリヤサイドメンバ３６との干渉を避けるため、ブリーザパイプ２６の中間部に略車両下方側へ湾曲する下方湾曲部３４が設けられているため、燃料蒸気が液化することにより生じた燃料が当該下方湾曲部３４に滞留したり、或いは悪路走行したときの揺れによって燃料タンク１０内の燃料の一部がブリーザパイプ２６内に流入し、下方湾曲部３４に滞留する等の可能性がある。
【００２６】
しかし、本実施形態では、ブリーザパイプ２６の下方湾曲部３４付近にエンジンの排気系部品である排気管１８を配置したので、排気管１８から発せられる排熱によって下方湾曲部３４に滞留した燃料が加熱して蒸発される。従って、下方湾曲部３４に滞留した燃料によって給油が妨げられるのを解消することができる。しかも、排気管１８自体は元々存在するものなので、部品点数が増加することもない。従って、重量増加やコストアップ等の不利を招くこともない。
【００２７】
総じて言えば、本実施形態に係る燃料蒸気処理装置によれば、重量増加やコストアップ等の不利を招くことなく、ブリーザパイプ２６の下方湾曲部３４に滞留した燃料によって燃料注入ガン２２による給油が妨げられるのを確実に防止することができる。
【００２８】
また、本実施形態に係る燃料蒸気処理装置では、ブリーザパイプ２６と排気管１８とがブリーザパイプ２６の下方湾曲部３４で交差されているため、ブリーザパイプ２６の下方湾曲部３４だけを排気管１８からの排熱によって加温することができる。別の言い方をすれば、ブリーザパイプ２６の下方湾曲部３４以外の部分には、排熱による影響が及ばないようにすることができる。その結果、本実施形態によれば、蒸発燃料量を抑えることができる。
【００２９】
さらに、本実施形態に係る燃料蒸気処理装置では、排気管１８の取付部をリヤサイドメンバ３６に設定したので、排気管１８とブリーザパイプ２６の下方湾曲部３４との隙間３８を極力狭くすることができる。その結果、本実施形態によれば、下方湾曲部３４の受熱効果を高めることができる。
【００３０】
なお、本実施形態では、エンジンの排気系部品として排気管１８を利用したが、これに限らず、他の排気系部品（例えば、マフラー、触媒等）を利用してもよい。
【００３１】
また、燃料蒸発ガス回収装置（ＯＲＶＲ）において、燃料注入時に燃料供給口から新気が入ってくるのを抑制するために燃料タンクの上部空間と燃料給油口付近とを繋ぐ循環ラインの経路途中に下方湾曲部が設定される場合には、当該循環ラインの下方湾曲部に対して本発明を適用することも可能である。
【００３２】
【発明の効果】
以上説明したように、請求項１記載の本発明に係る燃料蒸気処理装置は、ブリーザパイプの下方湾曲部付近にエンジンの排気系部品を配置したので、排気系部品から発せられる排熱によって下方湾曲部に滞留された燃料を蒸発させることができ、その結果、重量増加やコストアップ等の不利を招くことなく、ブリーザパイプの下方湾曲部に滞留した燃料によって燃料注入ガンによる給油が妨げられるのを確実に防止することができるという優れた効果を有する。
【００３３】
請求項２記載の本発明に係る燃料蒸気処理装置は、請求項１記載の発明において、ブリーザパイプとエンジンの排気系部品とがブリーザパイプの下方湾曲部で交差されているため、ブリーザパイプの下方湾曲部だけを排気系部品からの排熱によって加温することができ、その結果、蒸発燃料量を抑えることができるという優れた効果を有する。
【００３４】
請求項３記載の本発明に係る燃料蒸気処理装置は、請求項１又は請求項２記載の発明において、ブリーザパイプの下方湾曲部の上方側には、車両後部の側部に車両前後方向を長手方向として配置されたリヤサイドメンバが配置されているため、排気系部品とブリーザパイプとの隙間を極力狭くすることができ、その結果、下方湾曲部の受熱効果を高めることができるという優れた効果を有する。
【図面の簡単な説明】
【図１】燃料系の部品の配置を車両搭載状態で描いた平面図である。
【図２】燃料タンクの周辺構造の要部を車両後方側から見て描いた要部拡大背面図である。
【図３】ブリーザパイプの下方湾曲部、リヤサイドメンバ、及び排気管の配置関係を車両後方から見て示す要部拡大背面図である。
【符号の説明】
１０      燃料タンク
１２      車両
１８      排気管（排気系部品）
２０      フューエルインレットパイプ（燃料注入パイプ）
２４      上部空間
２６      ブリーザパイプ
３０      燃料注入口
３４      下方湾曲部
３６      リヤクロスメンバ
【図１】
2004218501.tif 000003
【図２】
2004218501.tif 000004
【図３】
2004218501.tif 000005